【手続補正書】
【提出日】平成19年1月30日(2007.1.30)
【手続補正１】
【補正対象書類名】明細書
【補正対象項目名】特許請求の範囲
【補正方法】変更
【補正の内容】
【特許請求の範囲】
【請求項１】複数の第１のトラックデータから構成される楽音データを保持する保持手段と、
ネットワークを介して他の情報処理装置から送信される、前記楽音データに含まれる所定の前記第１のトラックデータの送信要求を表す信号の受信を制御する受信制御手段と、
前記受信制御手段により受信が制御された前記信号に基づいて、前記保持手段により保持されている前記楽音データの所定の前記第１のトラックデータを検索する検索手段と、
前記検索手段により検索された前記第１のトラックデータの、前記他の情報処理装置への送信を制御する送信制御手段と
を備えることを特徴とする情報処理装置。
【請求項２】  前記保持手段に保持されている前記第１のトラックデータには、それぞれ著作権情報が設定されている
ことを特徴とする請求項１に記載の情報処理装置。
【請求項３】  前記著作権情報に基づいて前記第１のトラックデータの利用料金を算出する算出手段を更に備え、
前記送信制御手段は、前記他の情報処理装置に対して、前記算出手段により算出された前記第１のトラックデータの利用料金に対応するデータの送信を更に制御する
ことを特徴とする請求項２に記載の情報処理装置。
【請求項４】  前記受信制御手段により、前記楽音データを構成する全ての前記第１のトラックデータの送信要求を表す信号の受信が制御された場合、
前記検索手段は、前記受信制御手段により受信が制御された前記信号に基づいて、前記保持手段により保持されている前記楽音データを構成する全ての前記第１のトラックデータを検索し、
前記送信制御手段は、前記検索手段により検索された前記楽音データを構成する全ての前記第１のトラックデータが、前記第１のトラックデータごとに、前記他の情報処理装置へ送信されるように制御する
ことを特徴とする請求項１に記載の情報処理装置。
【請求項５】
前記トラックデータに前記著作権情報を登録する登録手段を更に備え、
前記受信制御手段は、前記送信制御手段により送信された、前記著作権情報が設定されている前記第１のトラックデータと、前記著作権情報が設定されていない第２のトラックデータとを含む楽曲データの受信を更に制御し、
前記登録手段は、前記受信制御手段により受信が制御された前記楽曲データのうち、前記第２のトラックデータにのみ前記著作権情報を登録する
ことを特徴とする請求項２に記載の情報処理装置。
【請求項６】
前記保持手段は、前記登録手段により前記著作権情報が登録された前記第２のトラックデータを、前記第１のトラックデータとして保持する
ことを特徴とする請求項５に記載の情報処理装置。
【請求項７】複数のトラックデータから構成される楽音データの保持を制御する保持制御ステップと、
ネットワークを介して他の情報処理装置から送信される、前記楽音データに含まれる所定の前記トラックデータの送信要求を表す信号の受信を制御する受信制御ステップと、
前記受信制御ステップの処理により受信が制御された前記信号に基づいて、前記保持制御ステップの処理により保持されている前記楽音データの所定の前記トラックデータを検索する検索ステップと、
前記検索ステップの処理により検索された前記トラックデータの前記他の情報装置への送信を制御する送信制御ステップと
を含むことを特徴とする情報処理方法。
【請求項８】複数のトラックデータから構成される楽音データの保持を制御する保持制御ステップと、
ネットワークを介して他の情報処理装置から送信される、前記楽音データに含まれる所定の前記トラックデータの送信要求を表す信号の受信を制御する受信制御ステップと、
前記受信制御ステップの処理により受信が制御された前記信号に基づいて、前記保持制御ステップの処理により保持されている前記楽音データの所定の前記トラックデータを検索する検索ステップと、
前記検索ステップの処理により検索された前記トラックデータの前記他の情報装置への送信を制御する送信制御ステップと
を含むことを特徴とする処理をコンピュータに実行させるための、コンピュータが読み取り可能なプログラムが記録されている記録媒体。
【手続補正２】
【補正対象書類名】明細書
【補正対象項目名】００１２
【補正方法】変更
【補正の内容】
【００１２】
【課題を解決するための手段】
本発明の情報処理装置は、複数の第１のトラックデータから構成される楽音データを保持する保持手段と、ネットワークを介して、他の情報処理装置から送信される、楽音データに含まれる所定の第１のトラックデータの送信要求を表す信号の受信を制御する受信制御手段と、受信制御手段により受信が制御された信号に基づいて、保持手段により保持されている楽音データの所定の第１のトラックデータを検索する検索手段と、検索手段により検索された第１のトラックデータの、他の情報処理装置への送信を制御する送信制御手段とを備えることを特徴とする。
【手続補正３】
【補正対象書類名】明細書
【補正対象項目名】００１３
【補正方法】変更
【補正の内容】
【００１３】
保持手段に保持されている第１のトラックデータには、それぞれ著作権情報が設定されるようにすることができる。
【手続補正４】
【補正対象書類名】明細書
【補正対象項目名】００１４
【補正方法】変更
【補正の内容】
【００１４】
著作権情報に基づいて第１のトラックデータの利用料金を算出する算出手段を更に備えさせるようにすることができ、送信制御手段には、他の情報処理装置に対して、算出手段により算出された第１のトラックデータの利用料金に対応するデータの送信を更に制御させるようにすることができる。
受信制御手段により、楽音データを構成する全ての第１のトラックデータの送信要求を表す信号の受信が制御された場合、検索手段には、受信制御手段により受信が制御された信号に基づいて、保持手段により保持されている楽音データを構成する全ての第１のトラックデータを検索させるようにすることができ、送信制御手段には、検索手段により検索された楽音データを構成する全ての第１のトラックデータが、第１のトラックデータごとに、他の情報処理装置へ送信されるように制御させるようにすることができる。
トラックデータに著作権情報を登録する登録手段を更に備えさせるようにすることができ、受信制御手段には、送信制御手段により送信された、著作権情報が設定されている第１のトラックデータと、著作権情報が設定されていない第２のトラックデータとを含む楽曲データの受信を更に制御させるようにすることができ、登録手段には、受信制御手段により受信が制御された楽曲データのうち、第２のトラックデータにのみ著作権情報を登録させるようにすることができる。
保持手段には、登録手段により著作権情報が登録された第２のトラックデータを、第１のトラックデータとして保持させるようにすることができる。
【手続補正５】
【補正対象書類名】明細書
【補正対象項目名】００１５
【補正方法】変更
【補正の内容】
【００１５】
本発明の情報処理方法は、複数のトラックデータから構成される楽音データの保持を制御する保持制御ステップと、ネットワークを介して、他の情報処理装置から送信される、楽音データに含まれる所定のトラックデータの送信要求を表す信号の受信を制御する受信制御ステップと、受信制御ステップの処理により受信が制御された信号に基づいて、保持制御ステップの処理により保持されている楽音データの所定のトラックデータを検索する検索ステップと、検索ステップの処理により検索されたトラックデータの他の情報装置への送信を制御する送信制御ステップとを含むことを特徴とする。
【手続補正６】
【補正対象書類名】明細書
【補正対象項目名】００１６
【補正方法】変更
【補正の内容】
【００１６】
本発明の記録媒体に記録されているプログラムは、複数のトラックデータから構成される楽音データの保持を制御する保持制御ステップと、ネットワークを介して、他の情報処理装置から送信される、楽音データに含まれる所定のトラックデータの送信要求を表す信号の受信を制御する受信制御ステップと、受信制御ステップの処理により受信が制御された信号に基づいて、保持制御ステップの処理により保持されている楽音データの所定のトラックデータを検索する検索ステップと、検索ステップの処理により検索されたトラックデータの他の情報装置への送信を制御する送信制御ステップとを含むことを特徴とする処理をコンピュータに実行させる。
【手続補正７】
【補正対象書類名】明細書
【補正対象項目名】００１７
【補正方法】変更
【補正の内容】
【００１７】
本発明の情報処理装置、情報処理方法、および記録媒体に記録されているプログラムにおいては、複数のトラックデータから構成される楽音データが保持され、他の情報処理装置から送信される楽音データに含まれる所定のトラックデータの送信要求を表す信号の受信が制御され、受信された信号に基づいて、保持されている楽音データの所定のトラックデータが検索され、検索されたトラックデータが、他の情報装置へ送信される。
【手続補正８】
【補正対象書類名】明細書
【補正対象項目名】０１４９
【補正方法】変更
【補正の内容】
【０１４９】
【発明の効果】
本発明の情報処理装置、情報処理方法、および記録媒体に記録されているプログラムによれば、複数のトラックデータから構成される楽音データを保持し、他の情報処理装置から送信される楽音データに含まれる所定のトラックデータの送信要求を表す信号の受信を制御し、受信された信号に基づいて、保持されている楽音データの所定のトラックデータを検索し、トラックデータを他の情報装置へ送信するようにしたので、複数のトラックから構成される楽音データに含まれるトラックのそれぞれを、ミックスダウンせず、トラックの状態で送信することが可能になる。